(57)【要約】【課題】出金処理において一部の貨幣だけを出金した途中の状態で装置が停止してしまう可能性を低減できる貨幣取扱装置を提供する。【解決手段】識別部４０で正常と識別された正常貨幣を出金する出金部３２と、識別部４０で異常と識別された異常貨幣を収納するリジェクト収納部３５と、出金要求指令に基づいて貨幣収納部４５〜４７から貨幣を繰り出させ、識別部４０で正常と識別された正常貨幣を計数しつつ出金要求枚数だけ出金部３２に出金させる制御部１００とを備え、制御部１００は、出金要求指令に含まれる出金要求枚数に所定の出金不適予定枚数を加算した補正出金枚数が、貨幣収納部４５〜４７に収納されている貨幣の残枚数以下であると、貨幣収納部４５〜４７からの貨幣の繰り出しを許可する一方、補正出金枚数が残枚数よりも大きいと、貨幣収納部４５〜４７からの貨幣の繰り出しを規制する。【選択図】図５
2017102778.tif 000002
【特許請求の範囲】
【請求項１】
収納している貨幣を繰り出す貨幣収納部と、
該貨幣収納部から繰り出された貨幣を識別および計数する識別部と、
該識別部の識別結果から正常と識別された正常貨幣を出金する出金部と、
前記識別部の識別結果から異常と識別された異常貨幣を収納するリジェクト収納部と、
出金要求枚数を含む出金要求指令に基づいて前記貨幣収納部から貨幣を繰り出させ、前記識別部で正常と識別された正常貨幣を計数しつつ出金要求枚数だけ前記出金部に出金させる制御部と、
を備えた貨幣取扱装置であって、
前記制御部は、
前記貨幣収納部に収納されている貨幣の残枚数を把握しており、
出金要求指令に含まれる出金要求枚数に所定の出金不適予定枚数を加算した補正出金枚数が前記残枚数以下であると、前記貨幣収納部からの貨幣の繰り出しを許可する一方、前記補正出金枚数が前記残枚数よりも大きいと、前記貨幣収納部からの貨幣の繰り出しを規制することを特徴とする貨幣取扱装置。
【請求項２】
前記制御部は、
出金要求指令に含まれる出金要求枚数に所定の出金不適予定枚数を加算した補正出金枚数が前記残枚数よりも大きいと、表示部に、前記貨幣収納部の貨幣が不足している旨を表示させることを特徴とする請求項１記載の貨幣取扱装置。
【請求項３】
前記制御部は、
出金要求指令に含まれる出金要求枚数に所定の出金不適予定枚数を加算した補正出金枚数が前記残枚数よりも大きいと、表示部に、前記残枚数から所定の減算枚数減算した枚数を出金可能枚数として表示させることを特徴とする請求項１または２記載の貨幣取扱装置。
【請求項４】
前記制御部は、
前記出金要求枚数に所定の比率を掛けた値に基づいて前記所定の出金不適予定枚数を設定することを特徴とする請求項１乃至３のいずれか一項記載の貨幣取扱装置。
【発明の詳細な説明】
【技術分野】
【０００１】
本発明は、貨幣の少なくとも出金が可能な貨幣取扱装置に関するものである。
【背景技術】
【０００２】
現金取扱装置において、出金庫内の残留紙幣枚数が補充を要するニアエンド状態で、出金庫内の残留紙幣枚数が要求支払枚数を出金可能な枚数であれば継続運用させる技術がある（例えば、特許文献１参照）。
【先行技術文献】
【特許文献】
【０００３】
【特許文献１】特公平２−６００３８号公報
【発明の概要】
【発明が解決しようとする課題】
【０００４】
しかしながら、残留貨幣枚数の範囲内で要求支払枚数を出金しようとしても、出金処理にて行われる識別により出金に適していない貨幣が含まれていると、このような貨幣については出金することなく別途収納することになる。このため、出金処理において、要求支払枚数を出金し終わる前に残留貨幣枚数がなくなり、一部の貨幣だけを出金した途中の状態で装置が停止してしまう可能性がある。このような状態での停止は、装置を開放して内部を点検し復旧させるという時間と手間のかかる作業が必要となり、好ましくない。
【０００５】
本発明は、出金処理において一部の貨幣だけを出金した途中の状態で装置が停止してしまう可能性を低減できる貨幣取扱装置の提供を目的とする。
【課題を解決するための手段】
【０００６】
上記目的を達成するために、請求項１に係る発明は、収納している貨幣を繰り出す貨幣収納部と、該貨幣収納部から繰り出された貨幣を識別および計数する識別部と、該識別部の識別結果から正常と識別された正常貨幣を出金する出金部と、前記識別部の識別結果から異常と識別された異常貨幣を収納するリジェクト収納部と、出金要求枚数を含む出金要求指令に基づいて前記貨幣収納部から貨幣を繰り出させ、前記識別部で正常と識別された正常貨幣を計数しつつ出金要求枚数だけ前記出金部に出金させる制御部と、を備えた貨幣取扱装置であって、前記制御部は、前記貨幣収納部に収納されている貨幣の残枚数を把握しており、出金要求指令に含まれる出金要求枚数に所定の出金不適予定枚数を加算した補正出金枚数が前記残枚数以下であると、前記貨幣収納部からの貨幣の繰り出しを許可する一方、前記補正出金枚数が前記残枚数よりも大きいと、前記貨幣収納部からの貨幣の繰り出しを規制することを特徴とする。
【０００７】
請求項２に係る発明は、請求項１に係る発明において、前記制御部は、出金要求指令に含まれる出金要求枚数に所定の出金不適予定枚数を加算した補正出金枚数が前記残枚数よりも大きいと、表示部に、前記貨幣収納部の貨幣が不足している旨を表示させることを特徴とする。
【０００８】
請求項３に係る発明は、請求項１または２に係る発明において、前記制御部は、出金要求指令に含まれる出金要求枚数に所定の出金不適予定枚数を加算した補正出金枚数が前記残枚数よりも大きいと、表示部に、前記残枚数から所定の減算枚数減算した枚数を出金可能枚数として表示させることを特徴とする。
【０００９】
請求項４に係る発明は、請求項１乃至３のいずれか一項に係る発明において、前記制御部は、前記出金要求枚数に所定の比率を掛けた値に基づいて前記所定の出金不適予定枚数を設定することを特徴とする。
【発明の効果】
【００１０】
請求項１に係る発明によれば、制御部は、出金要求枚数を含む出金要求指令に基づいて貨幣収納部から貨幣を繰り出させ、識別部で正常と識別された正常貨幣を計数しつつ出金要求枚数だけ出金部に出金させることになるが、その前に、出金要求指令に含まれる出金要求枚数に所定の出金不適予定枚数を加算した補正出金枚数が、貨幣収納部に収納されている貨幣の残枚数以下であると、出金要求指令に基づいて貨幣収納部からの貨幣の繰り出しを許可する一方、補正出金枚数が残枚数よりも大きいと貨幣収納部からの貨幣の繰り出しを規制することになる。よって、出金処理において、識別部の識別結果から異常と識別された異常貨幣をリジェクト収納部に収納することがあっても、これが出金不適予定枚数の範囲内であれば、一部の貨幣だけを出金した途中の状態で装置が停止してしまうことはなく、一部の貨幣だけを出金した途中の状態で装置が停止してしまう可能性を低減できる。
【００１１】
請求項２に係る発明によれば、制御部は、出金要求指令に含まれる出金要求枚数に所定の出金不適予定枚数を加算した補正出金枚数が、貨幣収納部に収納されている貨幣の残枚数よりも大きいと、表示部に、貨幣収納部に収納されている貨幣が不足している旨を表示させる。これにより、操作者に貨幣収納部からの貨幣の繰り出しを規制した理由を報知することができる。
【００１２】
請求項３に係る発明によれば、制御部は、出金要求指令に含まれる出金要求枚数に所定の出金不適予定枚数を加算した補正出金枚数が、貨幣収納部に収納されている貨幣の残枚数よりも大きいと、表示部に、残枚数から所定の減算枚数減算した枚数を出金可能枚数として表示させる。これにより、操作者に貨幣収納部から出金可能な枚数を報知することができる。
【００１３】
請求項４に係る発明によれば、制御部は、出金要求枚数に所定の比率を掛けた値に基づいて所定の出金不適予定枚数を設定することになるため、出金枚数が多ければ多いほどリジェクト貨幣が増える実状に合わせて出金不適予定枚数を設定することができる。
【図面の簡単な説明】
【００１４】
【図１】本発明に係る貨幣取扱装置の一実施形態である紙幣取扱装置を概略的に示す側断面図である。
【図２】同側断面図であって、入金受付処理のルートを太線で示すものである。
【図３】同側断面図であって、入金収納処理のルートを太線で示すものである。
【図４】同側断面図であって、入金返却処理のルートを太線で示すものである。
【図５】同側断面図であって、バラ紙幣出金処理のルートを太線で示すものである。
【図６】本発明に係る貨幣取扱装置の一実施形態である紙幣取扱装置の表示部の表示例を示す正面図である。
【発明を実施するための形態】
【００１５】
本発明に係る貨幣取扱装置の一実施形態である紙幣取扱装置を図面を参照して以下に説明する。
【００１６】
図１に示す本実施形態の紙幣取扱装置１０は、銀行等の金融機関の店舗に設置されるものであり、貨幣としてのバラ紙幣の入金処理、バラ紙幣の出金処理および小束紙幣の出金処理等の種々の処理が可能となっている。
【００１７】
紙幣取扱装置１０には、操作者による操作入力を受け付ける操作部３０と、操作者に向けた表示を行う表示部３１と、入金受付処理時に操作者によって機外からバラ紙幣が投入されるとともに出金処理時にバラ紙幣を操作者に取出可能に出金するバラ紙幣入出部３２（出金部）と、出金処理時に操作者に対して小束紙幣を出金する小束紙幣出金部３３と、入金受付処理時に内部に取り込んだ受入不可な受入不可紙幣を排出する入金リジェクト部３４と、入金収納処理時や出金処理時に搬送異常の異常紙幣（異常貨幣）を収納する内部リジェクト収納部３５（リジェクト収納部）と、が設けられている。入金リジェクト部３４は、入金受付処理時にバラ紙幣入出部３２に投入されたバラ紙幣の中から偽券および搬送不良券のいずれかと識別された受入不可紙幣を操作者に取出可能にリジェクトする。
【００１８】
紙幣取扱装置１０は、バラ紙幣入出部３２に投入されたバラ紙幣の入金受付処理と、入金収納処理または入金返却処理とを含む入金処理と、バラ紙幣入出部３２を介してのバラ紙幣の出金処理と、小束紙幣出金部３３を介しての小束紙幣の出金処理とを行う。
【００１９】
紙幣取扱装置１０には、操作者側を前側とすると、その前面に臨んで、機外からバラ紙幣が投入されるとともに内部から出金用のバラ紙幣が繰り出される上記したバラ紙幣入出部３２が設けられている。バラ紙幣入出部３２は、外部から紙幣が投入され、投入された紙幣を内部に繰り出し可能であるとともに、内部から紙幣が繰り出され、繰り出された紙幣を外部に取り出し可能に払い出すものである。
【００２０】
バラ紙幣入出部３２は、その底部を構成する載置板３２ａが後下がりに傾斜した姿勢で垂直方向に昇降可能に設けられている。バラ紙幣入出部３２には、機外から、長辺方向および短辺方向をそれぞれ揃え表裏方向に集積されるとともに長辺方向を左右方向に沿わせた状態で紙幣が投入されることになる。このように投入された紙幣が、載置板３２ａ上に、載置板３２ａに対し直交する方向に集積された状態で載置される。また、バラ紙幣入出部３２には、内部からの紙幣が長辺方向を左右方向に沿わせた姿勢で繰り出されて載置板３２ａ上に集積される。
【００２１】
バラ紙幣入出部３２には、紙幣の集積スペースに対し機外からのアクセスを許容および規制する開閉可能なシャッタ３２ｂと、バラ紙幣入出部３２の紙幣の有無を検知する図示略の紙幣有無検知センサとが設けられている。シャッタ３２ｂは、閉じられた状態が待機状態であり、機外から、バラ紙幣入出部３２に紙幣が投入される際に開かれ、また、内部からの紙幣をバラ紙幣入出部３２が機外に取り出し可能に払い出す際に開かれる。
【００２２】
バラ紙幣入出部３２の上部の後側には、機外から載置板３２ａ上に集積状態で投入されたバラ紙幣を上端のものから一枚ずつ分離し所定の間隔をあけて内部へ繰り出すとともに内部からの紙幣をバラ紙幣入出部３２に繰り出す繰出部３２ｃが設けられている。繰出部３２ｃは、常にシャッタ３２ｂが閉じられた状態で作動するようになっている。なお、紙幣取扱装置１０内では、紙幣が、常に長辺方向を左右方向に沿わせた姿勢で搬送されることになる。
【００２３】
紙幣取扱装置１０には、バラ紙幣入出部３２の下側に、操作者側の前面に臨んで上記した入金リジェクト部３４が設けられている。入金リジェクト部３４は、バラ紙幣入出部３２から内部に繰り出された紙幣のうち受け入れ不可と識別された受入不可紙幣が、内部から繰り出されるものであり、このような受入不可紙幣を集積させて外部に取り出し可能に払い出す。入金リジェクト部３４には、紙幣の集積スペースに対し機外からのアクセスを許容および規制する開閉可能なシャッタ３４ａと、入金リジェクト部３４の紙幣の有無を検知する図示略の紙幣有無検知センサとが設けられている。シャッタ３４ａは、閉じられた状態が待機状態となっている。
【００２４】
紙幣取扱装置１０には、バラ紙幣入出部３２および入金リジェクト部３４の後方に、上記した内部リジェクト収納部３５が設けられている。内部リジェクト収納部３５は、入金収納処理時や出金処理時に、搬送異常と識別された異常紙幣を集積させて収納する。
【００２５】
紙幣取扱装置１０には、入金リジェクト部３４の後方に、繰出部３２ｃによってバラ紙幣入出部３２から一枚ずつ分離して内部に繰り出された紙幣を識別する識別部４０が設けられている。
【００２６】
識別部４０は、画像センサと重送センサとを有している。重送センサは、例えば、通過する紙幣に厚さ方向一側から光を照射し、厚さ方向他側で受光して受光量から一枚送りであるか重送であるかを検出する。識別部４０は、重送センサと画像センサの検出結果を総合的に判断して重送の形態を把握し、一纏まりで送られる重送の枚数を可能な範囲で検出する。また、識別部４０は、画像センサで検出した画像データから、紙幣が斜めに移動する斜行状態にあるか否かを検出する。さらに、識別部４０は、画像センサで検出した画像データから、紙幣の搬送間隔が所定の間隔よりも狭い近接搬送状態にあるか否かを検出する。加えて、識別部４０は、画像センサで検出した画像データから、重送、斜行および近接搬送のいずれも検出されない紙幣の真偽および金種を識別し、金種別に枚数を計数する。
【００２７】
入金受付処理時に、重送、斜行および近接搬送のいずれかの搬送異常が検出された紙幣および偽券を、識別部４０は受入不可紙幣と識別する。また、識別部４０は、重送、斜行および近接搬送のいずれも検出されず偽券でもない受入可能紙幣については、画像センサで検出した画像データから、金種別に枚数を計数する。
【００２８】
紙幣取扱装置１０には、バラ紙幣入出部３２の後方に、紙幣を整列させながら水平姿勢で鉛直方向に所定の結束枚数集積させる整列部４１が設けられており、この整列部４１の後方には、整列部４１から集積紙幣を水平状態のまま後方に引き出し鉛直上方に上昇搬送する移送部４２が設けられている。
【００２９】
紙幣取扱装置１０には、整列部４１の上方に、移送部４２で上昇搬送され上部位置から水平状態のまま前方に送り出された集積紙幣を結束テープで結束して小束紙幣とする結束部４３が設けられている。この結束部４３は、移送部４２から前方に送り出された集積紙幣を上下から挟持しつつ、結束テープを周囲に巻き回して接着・切断することにより小束紙幣を作成する。
【００３０】
紙幣取扱装置１０には、結束部４３の前方に、結束部４３で結束された後、水平状態のまま前方に送り出された小束紙幣を鉛直状に姿勢変更し前後方向に複数束集積して、機外に取り出し可能とする上記した小束紙幣出金部３３が設けられている。小束紙幣出金部３３には、小束紙幣の集積スペースに対し機外からのアクセスを許容および規制する開閉可能なシャッタ３３ａと、小束紙幣出金部３３の小束紙幣の有無を検知する図示略の小束紙幣有無検知センサとが設けられている。
【００３１】
紙幣取扱装置１０の下部には、奥側から順に、例えば入金された入金確定後のバラ紙幣を上下に集積させた状態で収納すると共に収納している紙幣を繰り出す紙幣庫４５（貨幣収納部）と、同様の紙幣庫４６（貨幣収納部）と、同様の紙幣庫４７（貨幣収納部）と、同様の紙幣庫４８と、例えば入金された入金確定前のバラ紙幣を上下に集積させた状態で繰り出し可能に一時貯留させる紙幣庫４９とが、上下左右の位置を合わせて前後方向に配列されている。
【００３２】
紙幣庫４５は所定の単一の金種（例えば千円券）のバラ紙幣を、紙幣庫４６は所定の単一の金種（例えば五千円券）のバラ紙幣を、紙幣庫４７は所定の単一の金種（例えば万円券）のバラ紙幣を、紙幣庫４８は金種混合のバラ紙幣を、それぞれ収納する。言い換えれば、紙幣取扱装置１０には、金種別に複数の紙幣庫４５〜４７が設けられている。紙幣庫４９は、例えばバラ紙幣入出部３２から繰り出され識別部４０で受入可能紙幣と識別された入金確定前のバラ紙幣を金種混合で上下に集積させた状態で貯留させる。紙幣庫４８は、単一金種用の紙幣庫４５〜４７では収納しきれないオーバーフロー紙幣および単一金種用の紙幣庫を持たない流通量の少ない所定の金種（例えば二千円券）のバラ紙幣を収納する。
【００３３】
紙幣庫４５には、その底部を構成する水平な載置板４５ａが鉛直方向に昇降可能に設けられており、上部に、載置板４５ａ上に紙幣を一枚ずつ繰り出して上下方向に集積させるとともに載置板４５ａ上の紙幣を上端のものから一枚ずつ分離して計数しつつ繰り出す繰出部４５ｂが設けられている。また、紙幣庫４５には、内部の紙幣の有無を検知する図示略の紙幣有無検知センサが設けられている。紙幣庫４６にも同様の載置板４６ａ、繰出部４６ｂおよび図示略の紙幣有無検知センサが、紙幣庫４７にも同様の載置板４７ａ、繰出部４７ｂおよび図示略の紙幣有無検知センサが、紙幣庫４８にも同様の載置板４８ａ、繰出部４８ｂおよび図示略の紙幣有無検知センサが、紙幣庫４９にも同様の載置板４９ａ、繰出部４９ｂおよび図示略の紙幣有無検知センサが、それぞれ設けられている。
【００３４】
紙幣庫４５〜４９は、繰出部４５ｂ〜繰出部４９ｂの対応するものから一枚ずつ庫内に繰り出された紙幣を、載置板４５ａ〜載置板４９ａの対応するものの上に上下方向に集積させて収納する。ここで、紙幣庫４５〜４７は、紙幣を金種別に収納するとともに、収納している紙幣を一枚ずつ分離して計数しつつ繰り出すものであり、入金された紙幣を収納し収納している紙幣を出金用として繰り出す金種別環流部を構成している。また、紙幣庫４９は、紙幣を一時貯留させるとともに一時貯留させている紙幣を一枚ずつ分離して繰り出す一時貯留部を構成している。識別部４０は、これら紙幣庫４５〜４９から繰り出された紙幣についても識別する。
【００３５】
紙幣取扱装置１０には、紙幣を搬送する紙幣搬送路５１が紙幣取扱装置１０の各部を適宜繋ぐように設けられている。紙幣搬送路５１は、バラ紙幣入出部３２と紙幣庫４９とを繋ぐ搬送路５１Ａを有している。搬送路５１Ａは、操作者側を前方とすると、バラ紙幣入出部３２の繰出部３２ｃから後上がりに延出した後、後下がりに延出し、さらに鉛直下方に延出し、その後、前側に一旦延出した後、下方に延出する。搬送路５１Ａは、さらに後方に延出し、途中上側に凸状に屈曲した後、後方に延出して識別部４０を通った後、紙幣取扱装置１０の後部で下方に延出し、さらに前方に延出して紙幣取扱装置１０の前部から下方に延出して紙幣庫４９の繰出部４９ｂに繋がっている。
【００３６】
紙幣搬送路５１は、搬送路５１Ａの下部の水平部分の途中から分岐して紙幣庫４５の繰出部４５ｂに繋がる搬送路５１Ｂと、搬送路５１Ａの搬送路５１Ｂよりも紙幣庫４９側から分岐して紙幣庫４６の繰出部４６ｂに繋がる搬送路５１Ｃとを有している。また、紙幣搬送路５１は、搬送路５１Ａの搬送路５１Ｃよりも紙幣庫４９側から分岐して紙幣庫４７の繰出部４７ｂに繋がる搬送路５１Ｄと、搬送路５１Ａの搬送路５１Ｄよりも紙幣庫４９側から分岐して紙幣庫４８の繰出部４８ｂに繋がる搬送路５１Ｅとを有している。さらに、紙幣搬送路５１は、搬送路５１Ａの搬送路５１Ｅよりも紙幣庫４９側の前端部から分岐し上方に延出した後に後方に延出して搬送路５１Ａのバラ紙幣入出部３２と識別部４０との間位置に繋がる搬送路５１Ｆとを有している。
【００３７】
紙幣搬送路５１は、搬送路５１Ａにおける搬送路５１Ｅの分岐位置と搬送路５１Ｆの分岐位置との間位置から分岐し上方に延出して搬送路５１Ｆの途中位置に繋がる搬送路５１Ｇと、搬送路５１Ｆにおける、搬送路５１Ｇの接続位置と、搬送路５１Ａのバラ紙幣入出部３２側への接続位置との間から分岐し上方に延出した後に前方に延出して入金リジェクト部３４に繋がる搬送路５１Ｈとを有している。また、紙幣搬送路５１は、バラ紙幣入出部３２と識別部４０との間の搬送路５１Ａをバイパスする搬送路５１Ｊと、搬送路５１Ａのバラ紙幣入出部３２と搬送路５１Ｊの接続位置との間位置から後方に分岐して整列部４１に繋がる搬送路５１Ｋとを有している。搬送路５１Ｊは、中間部分が紙幣の表裏を反転させる表裏反転部５３の一部を構成している。
【００３８】
紙幣搬送路５１は、搬送路５１Ａのバラ紙幣入出部３２側の搬送路５１Ｆへの接続位置と、搬送路５１Ａのバラ紙幣入出部３２側の搬送路５１Ｊへの接続位置との間から前方に分岐して搬送路５１Ｈに繋がる搬送路５１Ｍを有している。紙幣搬送路５１は、さらに、搬送路５１Ｈの搬送路５１Ｍへの接続位置と入金リジェクト部３４への接続位置との間から上方に分岐して内部リジェクト収納部３５に繋がる搬送路５１Ｎを有している。
【００３９】
搬送路５１Ａの搬送路５１Ｂが分岐する位置には、搬送路５１Ａを識別部４０側から紙幣庫４９に向けて搬送されている紙幣を、そのまま搬送路５１Ａで搬送するルートと搬送路５１Ｂに流すルートとに振り分ける振分部５５Ｂが設けられている。搬送路５１Ａの搬送路５１Ｃが分岐する位置には、搬送路５１Ａを識別部４０側から紙幣庫４９に向けて搬送されている紙幣を、そのまま搬送路５１Ａで搬送するルートと搬送路５１Ｃに流すルートとに振り分ける振分部５５Ｃが設けられている。搬送路５１Ａの搬送路５１Ｄが分岐する位置には、搬送路５１Ａを識別部４０側から紙幣庫４９に向けて搬送されている紙幣を、そのまま搬送路５１Ａで搬送するルートと搬送路５１Ｄに流すルートとに振り分ける振分部５５Ｄが設けられている。搬送路５１Ａの搬送路５１Ｅが分岐する位置には、搬送路５１Ａを識別部４０側から紙幣庫４９に向けて搬送されている紙幣を、そのまま搬送路５１Ａで搬送するルートと搬送路５１Ｅに流すルートとに振り分ける振分部５５Ｅが設けられている。
【００４０】
搬送路５１Ａのバラ紙幣入出部３２と識別部４０との間にて搬送路５１Ｆが接続する位置には、搬送路５１Ａを識別部４０側からバラ紙幣入出部３２に向けて搬送されている紙幣を、そのまま搬送路５１Ａで搬送するルートと搬送路５１Ｆに流すルートとに振り分ける振分部５５Ｆａが設けられている。搬送路５１Ａの識別部４０と紙幣庫４９との間にて搬送路５１Ｆが接続する位置には、搬送路５１Ａを紙幣庫４９側から識別部４０に向けて搬送されている紙幣を、そのまま搬送路５１Ａで搬送するルートと搬送路５１Ｆに流すルートとに振り分ける振分部５５Ｆｂが設けられている。
【００４１】
搬送路５１Ａの搬送路５１Ｇが分岐する位置には、搬送路５１Ａを識別部４０側から紙幣庫４９に向けて搬送されている紙幣を、そのまま搬送路５１Ａで搬送するルートと搬送路５１Ｇに流すルートとに振り分ける振分部５５Ｇが設けられている。搬送路５１Ｆの搬送路５１Ｈが分岐する位置には、搬送路５１Ｆを紙幣庫４９側から識別部４０に向けて搬送されている紙幣を、そのまま搬送路５１Ｆで搬送するルートと搬送路５１Ｈに流すルートとに振り分ける振分部５５Ｈが設けられている。
【００４２】
搬送路５１Ａの搬送路５１Ｊが分岐する位置には、搬送路５１Ａを識別部４０側からバラ紙幣入出部３２に向けて搬送されている紙幣を、そのまま搬送路５１Ａで搬送するルートと搬送路５１Ｊに流すルートとに振り分ける振分部５５Ｊが設けられている。搬送路５１Ａの搬送路５１Ｋが分岐する位置には、搬送路５１Ａを識別部４０側からバラ紙幣入出部３２に向けて搬送されている紙幣を、そのまま搬送路５１Ａで搬送するルートと搬送路５１Ｋに流すルートとに振り分ける振分部５５Ｋが設けられている。
【００４３】
搬送路５１Ａの搬送路５１Ｍが分岐する位置には、搬送路５１Ａを識別部４０側からバラ紙幣入出部３２に向けて搬送されている紙幣を、そのまま搬送路５１Ａで搬送するルートと搬送路５１Ｍに流すルートとに振り分ける振分部５５Ｍが設けられている。搬送路５１Ｈの搬送路５１Ｎが分岐する位置には、搬送路５１Ｈを紙幣庫４９側から入金リジェクト部３４側に向けて搬送されている紙幣を、そのまま搬送路５１Ｈで搬送するルートと搬送路５１Ｎに流すルートとに振り分ける振分部５５Ｎが設けられている。
【００４４】
表裏反転部５３は、搬送路５１Ｊの中間部分からなって逆Ｖ字状をなす入口側搬送路および出口側搬送路を有しており、入口側搬送路の末端位置に位置する紙幣を前方に押圧して出口側搬送路に移動させる羽根車等の図示略の移動機構を有している。
【００４５】
表裏反転部５３は、天地方向の一方向を搬送方向に合わせて搬送路５１Ａを識別部４０からバラ紙幣入出部３２に向けて移動している紙幣を、入口側搬送路に受け入れて、出口側搬送路に受け渡し、出口側搬送路で天地方向の前記一方向とは逆の逆方向を搬送方向に合わせて搬送路５１Ａに再び合流させるものである。これにより、表裏反転部５３を通過した紙幣は、表裏反転部５３を通らずに搬送路５１Ａを通って識別部４０からバラ紙幣入出部３２に向けて搬送される場合に対して、表裏および天地が反転する。
【００４６】
振分部５５Ｊは、識別部４０の識別結果から表裏方向の所定の一側が上を向いて搬送されている紙幣を、搬送路５１Ｊをバイパスするようにそのまま搬送路５１Ａへ流し、識別部４０の識別結果から表裏方向の前記一側とは逆の逆側が上を向いて搬送されている紙幣を、搬送路５１Ｊつまり表裏反転部５３へ流す。これにより、搬送路５１Ａの搬送路５１Ｊよりもバラ紙幣入出部３２側を流れる紙幣は表裏が取り揃えられることになる。
【００４７】
紙幣取扱装置１０は、その作動を制御する制御部１００と、識別部４０による紙幣の識別結果に基づく各紙幣の情報等を記憶する記憶部１０１とを有している。記憶部１０１には、各紙幣の金種情報および枚数情報等が記憶される。
【００４８】
次に、操作部３０への操作入力に基づいて制御部１００による制御で実行される紙幣取扱装置１０の各処理を説明する。
【００４９】
「入金受付処理」
図２の太線は、紙幣取扱装置１０において、機外からバラ紙幣入出部３２に投入されたバラ紙幣を搬送しつつ識別計数して一時貯留部としての紙幣庫４９に一時貯留させる入金受付処理のルートを示している。
【００５０】
バラ紙幣入出部３２の載置板３２ａ上にバラ紙幣が集積状態で載置されて、操作部３０に入金受付処理を行う旨の入力操作がなされると、制御部１００は、バラ紙幣入出部３２の紙幣を識別部４０で識別させた後に紙幣庫４９に一時貯留させる入金受付処理を行う。
【００５１】
具体的には、操作部３０に入金受付処理の選択操作が入力されると、制御部１００は、シャッタ３２ｂを開く。すると、操作者は、載置板３２ａ上にバラ紙幣を載置させて、操作部３０に入金受付処理を行う旨の入力操作を入力する。すると、図示略の紙幣有無検知センサでバラ紙幣入出部３２にある紙幣が検知されていることを条件に、制御部１００は、シャッタ３２ｂを閉じ、載置板３２ａ、紙幣搬送路５１、繰出部３２ｃおよび繰出部４９ｂ等を駆動する。すると、繰出部３２ｃがバラ紙幣入出部３２の載置板３２ａ上の紙幣を上端のものから順に一枚ずつ分離し所定の間隔をあけて内部に繰り出すことになり、繰り出した紙幣を、図２に太実線で示すように紙幣搬送路５１の搬送路５１Ａで搬送し識別部４０が識別することになる。
【００５２】
そして、制御部１００は、識別部４０で受け入れ可能と識別した受入可能紙幣を、図２に太実線で示すように搬送路５１Ａで紙幣庫４９に搬送する一方、識別部４０で受入不可と識別された受入不可紙幣を、図２に太実線から太破線で示すように、搬送路５１Ａから振分部５５Ｇで搬送路５１Ｇ，５１Ｆに流し、搬送路５１Ｆから振分部５５Ｈで搬送路５１Ｈに流して、入金リジェクト部３４に搬送する。これにより、受け入れ可能な受入可能紙幣を紙幣庫４９に一時貯留させ、受入不可紙幣を、シャッタ３４ａが閉じられている入金リジェクト部３４に払い出す。入金受付処理において識別部４０で受入不可紙幣と識別される紙幣には、偽券の他に、繰出部３２ｃの繰り出し不良や紙幣搬送路５１の搬送不良による、重送、斜行および近接搬送の紙幣が含まれる。
【００５３】
入金受付処理開始後、図示略の紙幣有無検知センサがバラ紙幣入出部３２に残留する紙幣がなくなったことを検知し、且つ図示略の搬送路センサが紙幣搬送路５１に紙幣がなくなったことを検知すると、制御部１００は、入金受付処理を終了する。その際に、入金リジェクト部３４に紙幣があることを図示略の紙幣有無検知センサが検知すると、制御部１００は、シャッタ３４ａを開く。これにより、操作者は、入金リジェクト部３４から紙幣を取り出すことになる。入金リジェクト部３４から紙幣が取り出されたことを図示略の紙幣有無検知センサが検知すると、制御部１００は、シャッタ３４ａを閉じる。なお、制御部１００は、以上の入金受付処理において識別部４０で受け入れ可能と識別した受入可能紙幣の金種別の枚数情報等を記憶部１０１に一時記憶させるとともに表示部３１に表示させる。
【００５４】
以上の入金受付処理後に紙幣庫４９に一時貯留されている紙幣は、受入可能紙幣のみとなる。
【００５５】
「入金収納処理」
図３の太線は、紙幣取扱装置１０において、上記した入金受付処理にて紙幣庫４９に一時貯留させた受入可能紙幣を、操作部３０への承認操作が入力されたことを条件に、確定して、金種別環流部としての紙幣庫４５〜４７および金種混合収納部としての紙幣庫４８の対応するものに収納させる入金収納処理のルートを示している。
【００５６】
入金収納処理では、まず、操作部３０へ承認操作が入力されると、紙幣取扱装置１０は、紙幣庫４９から受入可能紙幣を繰り出して識別部４０で識別し、重送、斜行および近接搬送のいずれかが検出され異常と識別された異常紙幣を、内部リジェクト収納部３５に収納する一方、重送、斜行および近接搬送のいずれも検出されずに正常紙幣（正常貨幣）と識別された紙幣を、識別部４０での金種識別に基づいて紙幣庫４５〜４８に振り分けて収納する収納作動を行う。
【００５７】
具体的に、収納作動では、制御部１００が繰出部４９ｂおよび紙幣搬送路５１を駆動する。すると、繰出部４９ｂが紙幣庫４９の紙幣を上端のものから一枚ずつ分離し所定の間隔をあけて繰り出すことになり、繰り出した紙幣を、図３に太実線で示すように、搬送路５１Ａから振分部５５Ｆｂで搬送路５１Ｆに流し、搬送路５１Ｆの末端位置から搬送路５１Ａを再び通るルートで識別部４０に搬送する。
【００５８】
そして、制御部１００は、識別部４０の識別結果に基づいて、正常と識別された正常紙幣を、振分部５５Ｂ〜５５Ｅおよび搬送路５１Ａ〜５１Ｅの対応するものによって紙幣庫４５〜４８の対応するものに搬送する。これにより、受入可能紙幣のうち正常と識別された正常紙幣を紙幣庫４５〜４８の対応するものに収納する。つまり、正常と識別された正常紙幣のうち、紙幣庫４５に収納されるべき単一金種（例えば千円券）の紙幣を紙幣庫４５に、紙幣庫４６に収納されるべき単一金種（例えば五千円券）の紙幣を紙幣庫４６に、紙幣庫４７に収納されるべき単一金種（例えば万円券）の紙幣を紙幣庫４７に、紙幣庫４８に収納されるべき金種（例えば二千円券および紙幣庫４５〜４７が満杯である場合の満杯金種）の紙幣を紙幣庫４８に収納する。
【００５９】
また、収納作動では、制御部１００が、上記の識別部４０による識別で、異常と識別された異常紙幣を、図３に太実線から太破線で示すように、搬送路５１Ａから振分部５５Ｅ，５５Ｇで搬送路５１Ｇ，５１Ｆに流し、搬送路５１Ｆから振分部５５Ｈで搬送路５１Ｈに流し、搬送路５１Ｈから振分部５５Ｎで搬送路５１Ｎに流して、内部リジェクト収納部３５に搬送し収納する。なお、紙幣庫４９から識別部４０に向けて搬送路５１Ｆを通る識別前の紙幣と、識別部４０による識別で、異常と識別されて搬送路５１Ｇから搬送路５１Ｆを通る異常紙幣とが、搬送路５１Ｆの一部ルートを重ね合わせているが、これら紙幣が干渉しないように、異常と識別されて搬送路５１Ｆを通る異常紙幣を優先し、この異常紙幣が搬送路５１Ｆを通る間は、紙幣庫４９から識別部４０に向けての紙幣の繰り出しは中断する。
【００６０】
収納作動時に、制御部１００は、識別部４０の識別結果に基づいて、正常と識別されて紙幣庫４５に収納された正常紙幣の枚数を、それまで紙幣庫４５に収納されていた枚数に加算して、紙幣庫４５に収納されている紙幣の残枚数とし、同様に、正常と識別されて紙幣庫４６に収納された正常紙幣の枚数を、それまで紙幣庫４６に収納されていた枚数に加算して、紙幣庫４６に収納されている紙幣の残枚数とし、同様に、正常と識別されて紙幣庫４７に収納された正常紙幣の枚数を、それまで紙幣庫４７に収納されていた枚数に加算して、紙幣庫４７に収納されている紙幣の残枚数として、それぞれ記憶部１０１の残枚数カウンタに記憶させる。
【００６１】
「入金返却処理」
図４の太線は、入金受付処理にて紙幣庫４９に一時貯留させた紙幣を、操作部３０へのキャンセル操作が入力されたことを条件に、バラ紙幣入出部３２に繰り出す入金返却処理のルートを示している。つまり、入金返却処理では、紙幣庫４９の紙幣を上端のものから繰出部４９ｂが繰り出すことになり、繰り出した紙幣を、搬送路５１Ａによってバラ紙幣入出部３２に搬送する。これにより、紙幣庫４９の全ての紙幣をバラ紙幣入出部３２に返却する。入金返却処理開始後、図示略の紙幣有無検知センサが紙幣庫４９に紙幣がなくなったことを検知し、且つ図示略の搬送路センサが紙幣搬送路５１に紙幣がなくなったことを検知すると、制御部１００は、入金受付処理において記憶部１０１に一時記憶させた識別部４０で受け入れ可能と識別した紙幣の金種別の枚数情報等を消去して、入金返却処理を終了する。なお、この入金返却処理においても、紙幣庫４９から返却する紙幣を、後述するバラ紙幣出金処理と同様に、必要により表裏を表裏反転部５３で反転させることにより、表裏を取り揃えた後、バラ紙幣入出部３２に返却することが可能である。
【００６２】
「バラ紙幣出金処理」
図５の太線は、操作部３０へ入力されたバラ出金操作に基づいて、金種別環流部としての紙幣庫４５〜４７の指定された金種のものから、指定された所定の金種および枚数の出金紙幣を出金するバラ紙幣出金処理のルートを示している。制御部１００は、操作部３０へ入力されたバラ出金操作に基づいて金種別の出金要求枚数を含む出金要求指令を作成する。あるいは、制御部１００は、外部機器から金種別の出金要求枚数を含む出金要求指令を受け付ける。
【００６３】
バラ紙幣出金処理時に、紙幣取扱装置１０は、紙幣庫４５〜４７から紙幣を繰り出し識別部４０で識別して、重送、斜行および近接搬送のいずれかが検出され異常と識別された異常紙幣を、図５に太実線から太破線で示すように、内部リジェクト収納部３５に収納しつつ、重送、斜行および近接搬送のいずれも検出されずに正常と識別された正常紙幣を、図５に太実線および太鎖線で示すように適宜表裏反転部５３で反転させ、バラ紙幣入出部３２に、金種別の出金要求枚数の出金紙幣をすべて繰り出す出金作動を行う。
【００６４】
つまり、まず、操作部３０への操作入力で、バラ紙幣出金処理の選択操作と、出金すべき紙幣の金種別の枚数あるいは出金金額が指定入力され、バラ紙幣出金処理を実行する旨の操作入力がなされる。すると、制御部１００は、入力された出金すべき紙幣の金種別の枚数あるいは出金金額に基づいて、金種別の出金要求枚数を含む出金要求指令を作成する。制御部１００は、出金金額が指定入力された場合には、出金枚数が最小となる組み合わせで出金すべき紙幣の金種別の枚数を算出する。ここでは、具体的に、紙幣庫４５〜４７のすべてから紙幣を払い出す場合を例にとり説明する。
【００６５】
出金作動では、まず、制御部１００は、繰出部４５ｂおよび紙幣搬送路５１を駆動する。すると、紙幣庫４５に収納されている紙幣を上端のものから繰出部４５ｂが一枚ずつ分離し所定の間隔をあけて指定枚数分繰り出すことになり、繰り出した紙幣を、図５に太実線で示すように、搬送路５１Ｂと、搬送路５１Ａとで識別部４０に搬送する。そして、制御部１００は、識別部４０で正常と識別された正常紙幣を、振分部５５Ｊで振り分けることによって、表裏反転が必要でない紙幣を、図５に太実線で示すように搬送路５１Ａでそのままバラ紙幣入出部３２に搬送し、表裏反転が必要な紙幣を、図５に太鎖線で示すように搬送路５１Ａから搬送路５１Ｊに流し、表裏反転部５３で表裏を反転させてから搬送路５１Ａでバラ紙幣入出部３２に搬送する。
【００６６】
制御部１００は、識別部４０で異常と識別された異常紙幣を、振分部５５Ｍ，５５Ｎで搬送路５１Ｍ，５１Ｈ，５１Ｎに流して、内部リジェクト収納部３５に収納する。言い換えれば、バラ紙幣入出部３２は、識別部４０の識別結果から正常と識別された正常紙幣を出金する一方、内部リジェクト収納部３５は、識別部４０の識別結果から異常と識別された異常紙幣を収納する。識別部４０は、紙幣庫４５から繰り出された紙幣を上記にように識別しつつ計数する。図示略の搬送路センサの検出結果から、紙幣庫４５から該当金種の出金要求枚数の正常紙幣をバラ紙幣入出部３２に払い出し、且つ紙幣搬送路５１に紙幣がなくなったことを検知すると、制御部１００は、紙幣庫４６について同様の処理を行い、さらに紙幣庫４７についても同様の処理を行う。
【００６７】
出金作動開始後、図示略の搬送路センサ等の検出結果から、出金要求指令に含まれる各金種の出金要求枚数の出金紙幣をすべて、バラ紙幣入出部３２に払い出し、且つ紙幣搬送路５１に紙幣がなくなったことを検知すると、制御部１００は、シャッタ３２ｂを開く。すると、操作者は、バラ紙幣入出部３２から紙幣を取り出すことになる。そして、図示略の紙幣有無検知センサでバラ紙幣入出部３２から紙幣がすべて取り出されたことを検知すると、制御部１００は、シャッタ３２ｂを閉じる。つまり、制御部１００は、出金要求枚数を含む出金要求指令に基づいて紙幣庫４５〜４７から紙幣を繰り出させ、識別部４０で正常と識別された正常紙幣を計数しつつ出金要求枚数だけバラ紙幣入出部３２に出金させる。
【００６８】
出金作動時に、制御部１００は、識別部４０の識別結果に基づいて、紙幣庫４５から繰り出された正常紙幣および異常紙幣の全枚数を、それまで紙幣庫４５に収納されていた枚数から減算して、紙幣庫４５に収納されている紙幣の残枚数とする。同様に、紙幣庫４６から繰り出された正常紙幣および異常紙幣の全枚数を、それまで紙幣庫４６に収納されていた枚数から減算して、紙幣庫４６に収納されている紙幣の残枚数とする。同様に、紙幣庫４７から繰り出された正常紙幣および異常紙幣の全枚数を、それまで紙幣庫４７に収納されていた枚数から減算して、紙幣庫４７に収納されている紙幣の残枚数とする。ここで、異常紙幣のうち、重送紙幣については、識別部４０において枚数を検出できればその枚数を、枚数を検出できなければ推定の枚数とする。
【００６９】
制御部１００は、上述した入金収納処理において、紙幣庫４５〜４８のそれぞれへ収納する正常紙幣の収納枚数を、それまで紙幣庫４５〜４８それぞれに収納されていた紙幣の収納枚数に加算して、紙幣庫４５〜４８のそれぞれに収納されている紙幣の残枚数として、記憶部１０１に記憶させる。また、上述したバラ紙幣出金処理等の出金処理において、紙幣庫４５〜４７のそれぞれから繰り出した正常紙幣および異常紙幣の枚数を、それまで紙幣庫４５〜４７それぞれに収納されていた紙幣の収納枚数から減算することで紙幣庫４５〜４７のそれぞれに収納されている紙幣の残枚数として、記憶部１０１に記憶させる。よって、制御部１００は、記憶部１０１に記憶されている紙幣庫４５〜４７のそれぞれの紙幣の残枚数を読み出して、紙幣庫４５〜４７のそれぞれに収納している紙幣の残枚数を把握する。
【００７０】
そして、本実施形態においては、制御部１００が、上述したバラ紙幣出金処理において、金種別の出金要求枚数を含む出金要求指令を作成し、または受け付けると、上記出金作動に先だって、この出金要求指令の金種別の出金要求枚数Ｎのそれぞれに所定の出金不適予定枚数Ｍを加算した補正出金枚数Ｘを算出する。つまり、金種別に、Ｘ＝Ｎ＋Ｍを算出する。
【００７１】
ここで、出金不適予定枚数Ｍは、出金要求枚数Ｎに所定の比率Ｒを掛けた値（Ｎ×Ｒ）に基づいて設定する。この比率Ｒは、紙幣庫４５〜４７のそれぞれから繰り出される正常紙幣の枚数に対する異常紙幣の枚数の比率つまりリジェクト比率であり、予め実験や過去の実績データから求められるものである。過去の実績データを用いる場合、所定期間、例えば過去１カ月の実績データを用いて、各月毎に比率を更新して使用することができる。あるいは、所定枚数、例えば過去１０００枚の正常紙幣の出金時の実績データを用いて、正常紙幣の１０００枚計数毎に比率を更新して使用することができる。
【００７２】
例えば、過去の実績データから、１００枚の正常紙幣を繰り出す際に１枚の異常紙幣が繰り出されるものであれば、比率Ｒは０．０１となる。比率Ｒ＝０．０１に設定されている場合、出金要求枚数Ｎ＝１５０枚のとき、Ｎ×Ｒは、１５０×０．０１＝１．５となり、制御部１００は、Ｎ×Ｒの小数点以下を切り上げて、出金不適予定枚数Ｍを２枚に設定する。よって、補正出金枚数Ｘが１５２枚となる。
【００７３】
制御部１００は、上記のようにして算出した紙幣庫４５の補正出金枚数Ｘが、紙幣庫４５に収納されている紙幣の残枚数Ｚ以下であれば、紙幣庫４５からの紙幣の繰り出しを許可する一方、補正出金枚数Ｘが残枚数Ｚよりも大きいと、紙幣庫４５からの紙幣の繰り出しを規制する。例えば、紙幣庫４５からの出金要求枚数Ｎ＝１５０枚で補正出金枚数Ｘが１５２枚のとき、紙幣庫４５の残枚数Ｚが１５０枚あるいは１５１枚であると、出金要求枚数Ｎが残枚数Ｚ以下であるものの、紙幣庫４５からの紙幣の繰り出しを規制する。一方、補正出金枚数Ｘが１５２枚のとき、紙幣庫４５の残枚数Ｚが１５２枚であると、紙幣庫４５からの紙幣の繰り出しを許容する。
【００７４】
同様に、紙幣庫４６の補正出金枚数Ｘが、紙幣庫４６に収納されている紙幣の残枚数Ｚ以下であれば、紙幣庫４６からの紙幣の繰り出しを許可する一方、補正出金枚数Ｘが残枚数Ｚよりも大きいと、紙幣庫４６からの紙幣の繰り出しを規制する。同様に、紙幣庫４７の補正出金枚数Ｘが、紙幣庫４７に収納されている紙幣の残枚数Ｚ以下であれば、紙幣庫４７からの紙幣の繰り出しを許可する一方、補正出金枚数Ｘが残枚数Ｚよりも大きいと、紙幣庫４７からの紙幣の繰り出しを規制する。
【００７５】
そして、制御部１００は、紙幣庫４５〜４７のうち、出金要求指令に含まれている金種を収納しているもの全ての紙幣の繰り出しを許可すると、上記した出金作動を行う。他方、紙幣庫４５〜４７のうち、出金要求指令に含まれている金種を収納しているものの少なくともいずれか一つの紙幣の繰り出しが規制されると、制御部１００は、上記した出金作動を行わずに、表示部３１に、紙幣庫４５〜４７のうちの繰り出しが規制された金種について、紙幣が不足している旨と出金可能枚数Ｙとを表示させる。
【００７６】
この出金可能枚数Ｙは、残枚数Ｚから所定の減算枚数Ｑを減算した枚数であり、この所定の減算枚数Ｑは、残枚数Ｚを、所定の比率Ｒに１を加算した値（Ｒ＋１）で除した値を、残枚数Ｚから減算した値に基づいて設定する。例えば、比率Ｒ＝０．０１に設定されている場合、（Ｒ＋１）＝１．０１となり、残枚数Ｚが１５０枚のとき、１５０−（１５０／１．０１）≒１．４９となり、制御部１００は、小数点以下を切り上げて、減算枚数Ｑを２枚に設定する。よって、残枚数Ｚから減算枚数Ｑを減算した出金可能枚数Ｙが１４８枚となる。つまり、制御部１００は、出金要求指令に含まれる出金要求枚数Ｎに所定の出金不適予定枚数Ｍを加算した補正出金枚数Ｘが残枚数Ｚよりも大きいと、表示部３１に、残枚数Ｚから所定の減算枚数Ｑを減算した枚数を出金可能枚数Ｙとして表示させる。
【００７７】
例えば、万円券のみが不足している場合、図６に示すように、紙幣が不足している旨として「ただ今、万円券が不足しており、出金できません。紙幣を補充後に実施して下さい。」の表示と、出金可能枚数として「万円券：３０枚、五千円券：２０枚、千円券：５０枚」の表示と、これら金種別の枚数が現在出金可能な枚数であることを示す「現在の可能枚数」の表示とを表示させる。
【００７８】
表示部３１に表示された、紙幣が不足している旨と出金可能枚数の表示を見て、操作者は、操作部３０への操作入力で出金要求指令を修正して、出金要求指令に含まれるすべての金種の補正出金枚数Ｘが残枚数Ｚ以下となるように修正する。あるいは、紙幣庫４５〜４７のうち、少なくとも繰り出しが規制された金種のものに、上記した入金受付処理および入金収納処理と同様の処理を行って紙幣を補充する。
【００７９】
以上に述べた本実施形態の紙幣取扱装置１０によれば、出金処理時に、制御部１００は、出金要求枚数を含む出金要求指令に基づいて紙幣庫４５〜４７から紙幣を繰り出させ、識別部４０で正常と識別された正常紙幣を計数しつつ出金要求枚数だけバラ紙幣入出部３２に出金させることになるが、その前に、出金要求指令に含まれる出金要求枚数Ｎに所定の出金不適予定枚数Ｍを加算した補正出金枚数Ｘが、紙幣庫４５〜４７に収納されている紙幣の残枚数Ｚ以下であると、出金要求指令に基づいて紙幣庫４５〜４７からの紙幣の繰り出しを許可する一方、補正出金枚数Ｘが残枚数Ｚよりも大きいと紙幣庫４５〜４７からの紙幣の繰り出しを規制することになる。よって、出金処理において、識別部４０の識別結果から異常と識別された異常紙幣を内部リジェクト収納部３５に収納することがあっても、これが出金不適予定枚数Ｍの範囲内であれば、一部の紙幣だけを出金した途中の状態で装置が停止してしまうことはなく、一部の紙幣だけを出金した途中の状態で装置が停止してしまう可能性を低減できる。したがって、装置を開放して内部を点検し復旧させるという時間と手間のかかる作業の頻度を減らすことができる。
【００８０】
また、制御部１００は、出金要求指令に含まれる出金要求枚数Ｎに所定の出金不適予定枚数Ｍを加算した補正出金枚数Ｘが、紙幣庫４５〜４７に収納されている紙幣の残枚数Ｚよりも大きいと、表示部３１に、紙幣庫４５〜４７に収納されている紙幣が不足している旨を表示させる。これにより、操作者に紙幣庫４５〜４７からの紙幣の繰り出しを規制した理由を報知することができる。よって、操作者は即座に且つ円滑に紙幣の補充を行うことができる。
【００８１】
また、制御部１００は、出金要求指令に含まれる出金要求枚数Ｎに所定の出金不適予定枚数Ｍを加算した補正出金枚数Ｘが、紙幣庫４５〜４７に収納されている紙幣の残枚数Ｚよりも大きいと、表示部３１に、残枚数Ｚから所定の減算枚数Ｑを減算した枚数を出金可能枚数として表示させる。これにより、操作者に紙幣庫４５〜４７から出金可能な枚数を報知することができる。よって、操作者は出金枚数を変更可能な場合には、紙幣の補充を行うことなく可能な範囲で紙幣を出金させることができる。
【００８２】
また、制御部１００は、出金要求枚数Ｎに所定の比率Ｒを掛けた値に基づいて所定の出金不適予定枚数Ｍを設定することになるため、出金枚数が多ければ多いほどリジェクト紙幣が増える実状に合わせて出金不適予定枚数Ｍを設定することができる。
【００８３】
以上においては、貨幣取扱装置の一実施形態として紙幣を入出金する紙幣取扱装置を例にとり説明したが、貨幣の少なくとも出金を行うものであれば良い。よって、紙幣の出金のみを行う紙幣取扱装置、硬貨の入出金を行う硬貨取扱装置、硬貨の出金のみを行う硬貨取扱装置、紙幣および硬貨の入出金を行う貨幣取扱装置、紙幣および硬貨の出金のみを行う貨幣取扱装置等に本発明を適用できる。
【符号の説明】
【００８４】
１０  紙幣取扱装置（貨幣取扱装置）
３１  表示部
３２  バラ紙幣入出部（出金部）
３５  内部リジェクト収納部（リジェクト収納部）
４０  識別部
４５  紙幣庫（貨幣収納部）
４６  紙幣庫（貨幣収納部）
４７  紙幣庫（貨幣収納部）
１００  制御部
【図１】
2017102778.tif 000003
【図２】
2017102778.tif 000004
【図３】
2017102778.tif 000005
【図４】
2017102778.tif 000006
【図５】
2017102778.tif 000007
【図６】
2017102778.tif 000008